(57)【要約】【課題】商品パッケージ、ポスター、チラシなどのデザインを、保存管理して、必要なときに何時でも利用できるようにすること。【解決手段】ネットワークを介して、各顧客の端末からアクセスされるサーバであって、各顧客のデザインのデータを保存する機能と、データが保存されている各顧客のデザインに付随する情報の記入を各顧客の端末にて可能にし、記入された各顧客のデザインに付随する情報を保存する機能と、データが保存されている各顧客のデザインの検索・閲覧を各顧客の端末にて可能にする機能と、保存されている各顧客のデザインのデータを各顧客の端末にてダウンロード可能にする機能とを有することを特徴とするデザイン保管サーバ。【選択図】なし【特許請求の範囲】
【請求項１】
ネットワークを介して、各顧客の端末からアクセスされるサーバであって、
各顧客のデザインのデータを保存する機能と、
データが保存されている各顧客のデザインに付随する情報の記入を各顧客の端末にて可能にし、記入された各顧客のデザインに付随する情報を保存する機能と、
データが保存されている各顧客のデザインの検索・閲覧を各顧客の端末にて可能にする機能と、
保存されている各顧客のデザインのデータを各顧客の端末にてダウンロード可能にする機能とを有することを特徴とするデザイン保管サーバ。
【請求項２】
ネットワークを介して、各顧客の端末からアクセスされるサーバが実行する方法であって、
各顧客のデザインのデータを保存する工程と、
データが保存されている各顧客のデザインに付随する情報の記入を各顧客の端末にて可能にし、記入された各顧客のデザインに付随する情報を保存する工程と、
データが保存されている各顧客のデザインの検索・閲覧を各顧客の端末にて可能にする工程と、
保存されている各顧客のデザインのデータを各顧客の端末にてダウンロード可能にする工程とを含むことを特徴とするデザイン保管方法。
【発明の詳細な説明】
【０００１】
【発明の属する技術分野】
本発明は、デザイン保管サーバ及び方法に関する。
【０００２】
【従来の技術】
今日、顧客から注文を受けて商品パッケージを製造販売している印刷会社の中には、商品パッケージのデザインの原稿を、次のように取り扱っているところがある。
現在流れている商品パッケージのデザインの原稿については、原稿袋に入れ、工場などで保存管理して使用する。
終売になった商品パッケージのデザインの原稿については、廃棄して、新デザインと混同しないようにしている。
【０００３】
【発明が解決しようとする課題】
このように、終売になった商品パッケージのデザインの原稿は、廃棄されてしまうために、過去のデザインがどうなっていたのかが分からなくなってしまう。
【０００４】
顧客企業で、終売になった商品パッケージのデザインの原稿を、紙媒体で保存するにはスペースをかなり必要とするために管理が難しい。また、電子媒体で保存するにも大容量の記憶装置が必要になる。
【０００５】
そこで本発明は、より一般に、商品パッケージ、ポスター、チラシなどのデザインを、保存管理して、必要なときに何時でも利用できるようにすることを課題とする。
【０００６】
【課題を解決するための手段】
本発明において上記の課題を達成するために、まず請求項１の発明では、ネットワークを介して、各顧客の端末からアクセスされるサーバであって、
各顧客のデザインのデータを保存する機能と、
データが保存されている各顧客のデザインに付随する情報の記入を各顧客の端末にて可能にし、記入された各顧客のデザインに付随する情報を保存する機能と、
データが保存されている各顧客のデザインの検索・閲覧を各顧客の端末にて可能にする機能と、
保存されている各顧客のデザインのデータを各顧客の端末にてダウンロード可能にする機能とを有することを特徴とするデザイン保管サーバとしたものである。
【０００７】
また請求項２の発明では、ネットワークを介して、各顧客の端末からアクセスされるサーバが実行する方法であって、
各顧客のデザインのデータを保存する工程と、
データが保存されている各顧客のデザインに付随する情報の記入を各顧客の端末にて可能にし、記入された各顧客のデザインに付随する情報を保存する工程と、
データが保存されている各顧客のデザインの検索・閲覧を各顧客の端末にて可能にする工程と、
保存されている各顧客のデザインのデータを各顧客の端末にてダウンロード可能にする工程とを含むことを特徴とするデザイン保管方法としたものである。
【０００８】
【発明の実施の形態】
以下に、本発明の一実施形態を説明する。
尚、本明細書で、データと言うときは、コンピュータで処理可能なデジタルデータのことを意味する。
【０００９】
１．構成
本実施形態では、図１に示すように、印刷会社は、デザイン保管サーバを設置してネットワークに接続し、また、各顧客は、それぞれ端末を設置してネットワークに接続する。
【００１０】
ネットワークは、デザイン保管サーバと各顧客の端末との間でデータ通信が可能であれば、その種類や形態に特に制限は無く、例えば、インターネットや専用回線でも良く、また、途中で光通信や無線通信が行なわれるものであっても良い。
【００１１】
端末は、パソコンなどのコンピュータである。
【００１２】
デザイン保管サーバは、デザインのデータを、顧客ごとに保管するコンピュータシステムである。
【００１３】
２．印刷会社が顧客のデザインのデータを保存するための処理
ここで、印刷会社が、顧客のデザインのデータを、デザイン保管サーバに保存するためになされる処理を、以下のＳＴＥＰ１〜２に説明する。
【００１４】
ＳＴＥＰ１；
顧客のデザインの原稿が紙媒体のものであるなど、顧客のデザインがデータ化されていない場合、印刷会社は、顧客のデザインをデータ化する。例えば、デザイン保管サーバにスキャナを接続して、顧客のデザインをスキャナで読み取り、顧客のデザインのデータを取り込む。
【００１５】
ＳＴＥＰ２；
印刷会社は、顧客のデザインデータを、デザイン保管サーバに保存する。
【００１６】
３．顧客が顧客のデザインデータを利用するための処理
ここで、顧客が、デザイン保管サーバに保存されている顧客のデザインのデータを利用するためになされる処理を、以下のＳＴＥＰ１〜３に説明する。
【００１７】
ＳＴＥＰ１；
顧客は、顧客の端末にて、デザイン保管サーバにアクセスして、デザイン保管サーバにデータが保存されている顧客のデザインに対して、顧客のデザインに付随する情報を記入する。この記入がなされると、デザイン保管サーバは、顧客のデザインに付随する情報を保存する。
デザインに付随する情報には、例えば、商品パッケージのデザインの場合、その商品のキャンペーンで使用したとか、その商品の売れ行きはどうだったかなどが挙げられる。
【００１８】
ＳＴＥＰ２；
顧客は、顧客に端末にて、デザイン保管サーバにアクセスして、デザイン保管サーバにデータが保存されている顧客のデザインを、検索して閲覧する。
この検索では、例えば、顧客が記入したデザインに付随する情報を検索条件に用い、この情報を付随させている顧客のデザインを、デザイン保管サーバに検索させ、顧客の端末に表示させても良い。
【００１９】
ＳＴＥＰ３；
顧客の端末にて、閲覧しているデザインの中に、利用したいものがあれば、顧客は、このデザインを選択して、このデザインのデータを、デザイン保管サーバから顧客の端末にダウンロードする。
ダウンロードしたデザインのデータは、例えば、新デザインを作成するために流用しても良いし、新デザインの参考にするために用いても良い。
【００２０】
【発明の効果】
以上、本発明は、商品パッケージ、ポスター、チラシなどのデザインを、保存管理して、必要なときに何時でも利用できるようになるという効果がある。
【図面の簡単な説明】
【図１】本実施形態に係るシステムの構成例を示す図。
【図１】
2004272509.tif 000002